(57)【要約】【課題】被写体像に焦点検出エリアを重畳して表示する場合の見やすさを向上する。【解決手段】画像を表示する表示手段と、撮影レンズを介して形成される撮影画面５１内に設定された複数の焦点検出エリアの内の、撮影レンズの焦点調節に用いられる任意の複数の焦点検出エリアを含む範囲を示す第１フレーム５５を、表示手段の画像に重畳して表示する制御手段とを備える。【選択図】図５
2009044382.tif 000002
【特許請求の範囲】
【請求項１】
画像を表示する表示手段と、
撮影レンズを介して形成される撮影画面内に設定された複数の焦点検出エリアの内の、前記撮影レンズの焦点調節に用いられる任意の複数の焦点検出エリアを含む範囲を示す第１フレームを、前記表示手段の前記画像に重畳して表示する制御手段とを備えることを特徴とするカメラの表示装置。
【請求項２】
請求項１に記載のカメラの表示装置において、
前記複数の焦点検出エリアの中から任意の焦点検出エリアを選択するエリア選択手段を備え、
前記制御手段は、前記選択された焦点検出エリアで焦点調節を行うが、前記選択された焦点検出エリアから主要被写体が外れたときは前記第１フレーム内の焦点検出エリアで焦点調節を行う第１の焦点調節モードが設定されているときは、前記選択された焦点検出エリアの位置を示す第２フレームと、前記第１フレームとを前記表示手段の前記画像に重畳して表示することを特徴とするカメラの表示装置。
【請求項３】
請求項２に記載のカメラの表示装置において、
前記制御手段は、前記第１フレームと前記第２フレームを互いに異なる表示形態で表示することを特徴とするカメラの表示装置。
【請求項４】
請求項３に記載のカメラの表示装置において、
前記異なる表示形態は、異なる色で表示することを含むことを特徴とするカメラの表示装置。
【請求項５】
請求項１に記載のカメラの表示装置において、
前記制御手段は、前記第１フレーム内の複数の焦点検出エリアの中のいずれかで焦点調節を行う第２の焦点調節モードが設定されているときは、前記第１フレームの中心位置に対応する焦点検出エリアの位置を示す第３フレームと、前記第１フレームとを前記表示手段の前記画像に重畳して表示することを特徴とするカメラの表示装置。
【請求項６】
請求項５に記載のカメラに表示装置において、
前記制御手段は、前記第１フレームと前記第３フレームを互いに異なる表示形態で表示することを特徴とするカメラの表示装置。
【請求項７】
請求項６に記載のカメラの表示装置において、
前記異なる表示形態は、異なる色で表示することを含むことを特徴とするカメラの表示装置。
【請求項８】
請求項１に記載のカメラの表示装置において、
前記制御手段は、前記第１フレーム内の複数の焦点検出エリアの中で最至近の焦点検出結果を示す焦点検出エリアで焦点調節を行う第３の焦点調節モードが設定されているときは、前記最至近の焦点検出結果を示す焦点検出エリアの位置を示す第４フレームと、前記第１フレームとを前記表示手段の前記画像に重畳して表示することを特徴とするカメラの表示装置。
【請求項９】
請求項８に記載のカメラの表示装置において、
前記制御手段は、前記第１フレームと前記第４フレームを互いに異なる表示形態で表示することを特徴とするカメラの表示装置。
【請求項１０】
請求項９に記載のカメラの表示装置において、
前記異なる表示形態は、異なる色で表示することを含むことを特徴とするカメラの表示装置。
【請求項１１】
請求項１〜１０のいずれか１項に記載のカメラの表示装置において、
前記制御手段は、前記第１フレーム内のいずれかの焦点検出エリアで前記撮影レンズが合焦したときは、前記表示手段から前記第１フレームの表示を消去することを特徴とするカメラの表示装置。
【発明の詳細な説明】
【技術分野】
【０００１】
本発明はカメラの表示装置に関する。
【背景技術】
【０００２】
撮影視野内に複数の測距点を設定し、合焦状態にある測距点はもちろんのこと、合焦点と測距結果が同じ測距点、前ピン状態の測距点、後ピン状態の測距点を被写体画像上に重ねて表示するようにしたカメラの表示装置が知られている（例えば、特許文献１参照）。
【０００３】
この出願の発明に関連する先行技術文献としては次のものがある。
【特許文献１】特開２００４−０９６６４１号公報
【発明の開示】
【発明が解決しようとする課題】
【０００４】
近年、測距点（焦点検出エリア）の数が数十点あるいはそれ以上のカメラが実用化されており、このような多くの測距点を有するカメラにおいてすべての測距点の情報を被写体像（ファインダー内の光学像、または液晶表示部に表示される電気的な被写体画像）に重ねて表示すると、被写体の視認性が低下してしまうという問題がある。
【課題を解決するための手段】
【０００５】
本発明は、画像を表示する表示手段と、撮影レンズを介して形成される撮影画面内に設定された複数の焦点検出エリアの内の、撮影レンズの焦点調節に用いられる任意の複数の焦点検出エリアを含む範囲を示す第１フレームを、表示手段の画像に重畳して表示する制御手段とを備える。
【発明の効果】
【０００６】
本発明によれば、被写体像が見やすくなるとともに、焦点調節に有効な焦点検出エリアの範囲を容易に認識できる。
【発明を実施するための最良の形態】
【０００７】
撮影画面内に設定された複数の焦点検出エリアにおいて撮影レンズの焦点調節状態（この一実施の形態ではデフォーカス量）を検出し、いずれかのエリアのデフォーカス量に基づいて撮影レンズを合焦駆動する自動焦点調節（ＡＦ；オートフォーカス）機能と、撮影画像の中の追尾対象の被写体の画像をテンプレート画像（基準画像）として記憶し、繰り返し撮像される画像の中でテンプレート画像と同一または類似した画像の位置を検索（テンプレートマッチング）しながら意図する被写体を追尾する画像追尾機能とを備え、ＡＦ機能と画像追尾機能により撮影レンズを駆動しながら対象を追尾する一眼レフデジタルスチルカメラの表示装置に適用した一実施の形態を説明する。
【０００８】
図１は、一実施の形態の一眼レフデジタルスチルカメラ１の構成を示す。なお、図１では本願発明と直接関係のないカメラの機器および回路についての図示と説明を省略する。一実施の形態のカメラ１は、カメラ本体２に交換レンズ３が交換可能に装着される。カメラ本体２には被写体像を撮像して画像を記録するための第１撮像素子４が設けられる。この第１撮像素子４はＣＣＤやＣＭＯＳなどにより構成することができる。撮影時にはクイックリターンミラー５およびサブミラー６が実線で示す撮影光路外の位置に退避してシャッター７が開放され、撮影レンズ８により第１撮像素子４の受光面に被写体像が結像される。なお、図示を省略するが、シャッター７と第１撮像素子４の間にはモアレや偽色を防止するためのローパスフィルターが設けられている。
【０００９】
カメラ本体２の底部には、撮影レンズ８の焦点調節状態を検出するための焦点検出光学系９と測距素子１０が設けられている。この一実施の形態では、瞳分割位相差検出方式による焦点検出方法を採用した例を示す。焦点検出光学系９は、撮影レンズ８を通過した対の焦点検出用光束を測距素子１０の受光面へ導き、対の光像を結像させる。測距素子１０は例えば対のＣＣＤラインセンサーを備え、対の光像に応じた焦点検出信号を出力する。撮影前にはクイックリターンミラー５およびサブミラー６が図１に破線で示すような撮影光路内の位置に設定されており、撮影レンズ８からの対の焦点検出用光束はクイックリターンミラー５のハーフミラー部を透過し、サブミラー６により反射されて焦点検出光学系９および測距素子１０へ導かれる。
【００１０】
カメラ本体２の上部にはファインダー光学系が設けられている。撮影前にはクイックリターンミラー５およびサブミラー６が図１に破線で示す位置にあり、撮影レンズ８からの被写体光はクイックリターンミラー５に反射されてファインダースクリーン１１へ導かれ、ファインダースクリーン１１上に被写体像が結像する。有機ＥＬ表示素子１２は、ファインダースクリーン１１上に結像された被写体像に焦点検出エリアマークなどの情報を重畳表示するとともに、被写体像外の位置に露出値などの種々の撮影情報を表示する。なお、有機ＥＬ表示素子１２は自己発光するため、液晶表示素子（ＬＣＤ）と異なりバックライトが不要である。ファインダースクリーン１１上の被写体像はペンタダハプリズム１３および接眼レンズ１４を介して接眼窓１５へ導かれ、撮影者が被写体像を視認することができる。
【００１１】
また、カメラ本体２上部のファインダー光学系には、被写体追尾や測光のために被写体像を撮像する第２撮像素子１６が設けられ、被写体像を解析して追尾対象の位置を検出するとともに、測光結果に基づいて被写体輝度を検出する。第２撮像素子１６の詳細については説明を省略するが、複数の撮像用画素が二次元状に配列され、各画素にはＲＧＢフィルターが設けられている。撮影前にファインダースクリーン１１上に結像された被写体像は、ペンタダハプリズム１３、プリズム１７および結像レンズ１８を介して第２撮像素子１６へ導かれ、第２撮像素子１６の受光面に被写体像が再結像される。なお、図示を省略するが、結像レンズ１８と第２撮像素子１６の間には赤外カットフィルターが設けられている。
【００１２】
カメラ本体２にはまた、ボディ駆動制御装置１９、操作部材２０、カラーモニター２４などが設けられる。ボディ駆動制御装置１９は、詳細を後述するマイクロコンピューターとメモリ、Ａ／Ｄ変換器などの周辺部品から構成され、カメラ１の種々の制御と演算を行う。操作部材２０には、シャッターボタン、焦点検出エリア選択スイッチ、撮影モード選択スイッチなどのカメラ１を操作するためのスイッチやセレクターが含まれる。カラーモニター２４はカメラ本体２の背面に設けられ、撮像結果の被写体像と撮影に関する種々の情報を表示する。
【００１３】
交換レンズ３には、ズーミングレンズ８ａ、フォーカシングレンズ８ｂ、絞り２１、レンズ駆動制御装置２２などが設けられる。なお、この一実施の形態では撮影レンズ８をズーミングレンズ８ａ、フォーカシングレンズ８ｂおよび絞り２１で体表的に表すが、撮影レンズ８の構成は図１に示す構成に限定されない。レンズ駆動制御装置２２は、詳細を後述するマイクロコンピューターとメモリ、駆動回路、アクチュエーターなどの周辺部品から構成され、レンズ８ａ、８ｂおよび絞り２１の駆動制御とそれらの設定位置検出を行う。レンズ駆動制御装置２２に内蔵されるメモリには、交換レンズ３の焦点距離や開放絞り値などの情報が記憶されている。
【００１４】
ボディ駆動制御装置１９とレンズ駆動制御装置２２はレンズマウント部の接点２３を介して通信を行い、ボディ駆動制御装置１９からレンズ駆動制御装置２２へレンズ駆動量や制御絞り値などの情報を送信し、レンズ駆動制御装置２２からボディ駆動制御装置１９へレンズ位置情報や絞り値情報を送信する。
【００１５】
図２は、ボディ駆動制御装置とレンズ駆動制御装置２２の詳細な構成を示す図である。ボディ駆動制御装置１９のＣＰＵ３１は、カメラ１の種々の制御と演算を行う。タイミング回路３２は、第１撮像素子４と第２撮像素子１６の電荷蓄積の開始と終了および画像信号の読み出しをそれぞれ別個に制御する。処理回路３３は、第１撮像素子４から出力される画像信号をデジタル信号に変換した後、ホワイトバランス調整、シャープネス調整、ガンマ補正、階調調整、補間等の画像処理を行い、メモリ３４に一時的に記憶する。また、処理回路３５は、第２撮像素子１６から出力される画像信号をデジタル信号に変換した後、対象被写体の追尾を行うための画像解析と被写体輝度を検出するための測光演算を行う。
【００１６】
焦点検出回路３６は測距素子１０から焦点検出信号を入力し、撮影レンズ８の焦点調節状態、ここではデフォーカス量を検出する。インタフェース回路３７は操作部材２０からの操作信号を入力する。表示回路３８は、有機ＥＬ表示素子１２を駆動して被写体像に焦点検出エリアマークなどの情報を重畳表示するとともに、被写体像外の位置に露出値などの種々の撮影情報を表示する。表示回路３９は、モニター２４を駆動して被写体像と撮影に関する種々の情報を表示する。記録回路４０は例えばメモリカードなどの記録媒体２５に撮像画像を記録する。駆動回路４１は、露出演算結果のシャッター速度にしたがってシャッター７を駆動する。
【００１７】
レンズ駆動制御装置２２のＣＰＵ４２は、レンズ駆動と絞りを制御する。レンズ駆動部４３はアクチュエーター（不図示）によりフォーカシングレンズ８ｂを駆動して焦点調節を行い、絞り駆動部４４はアクチュエーター（不図示）により絞り２１を駆動する。メモリ４５には撮影レンズ８の焦点距離や開放絞り値などのレンズ情報が記憶されている。
【００１８】
図３はカメラ本体２の背面図である。なお、ここでは本願発明に関係する部分のみを説明する。メニューボタン４７は、モニター２４に各種モード情報や設定情報を表示させてカメラに種々の情報を設定するための操作部材２０である。マルチセレクター４８は、撮影画面内に設定された複数の焦点検出エリアの中から任意のエリアを選択して“優先エリア”を設定したり、複数の焦点検出エリアの中から任意の“グループエリア”を設定したり、複数の焦点検出エリアの中から焦点調節に用いる“有効エリア”を設定するための操作部材２０である。なお、これらの焦点検出エリアについては詳細を後述する。
【００１９】
また、ＡＦエリアモードセレクター４９は、４種類のＡＦエリアモード、すなわち（１）シングルエリアモード、（２）ダイナミックＡＦモード、（３）グループダイナミックＡＦモード、および（４）至近優先ダイナミックＡＦモードを選択するための操作部材２０である。（１）シングルエリアモードは、撮影者がマルチセレクター４８により選択した焦点検出エリアで焦点検出を行い、その焦点検出結果にしたがって焦点調節を行うモードであり、静止被写体撮影に適している。（２）ダイナミックＡＦモードは、撮影者がマルチセレクター４８により選択した焦点検出エリアを“優先エリア”とし、この優先エリアと撮影者が予め設定した優先エリア周辺の１つまたは複数の焦点検出エリア、すなわち“バックアップエリア”において焦点検出を行い、優先エリアから意図する被写体を外した場合でも周りのバックアップエリアの焦点検出結果によりカバーして焦点調節を行うモードであり、動体撮影に適している。
【００２０】
（３）グループダイナミックＡＦモードは、撮影者がマルチセレクター４８により予め選択した一群の焦点検出エリア、すなわち“グループエリア”において焦点検出を行い、その複数の焦点検出結果の内の例えば最至近の焦点検出結果に基づいて焦点調節を行うモードであり、構図を重視した動体撮影に適している。なお、グループエリアは、予めすべての焦点検出エリアを中央、上下左右などの任意の複数のグループエリアに区分しておく。（４）至近優先ダイナミックＡＦモードは、すべての焦点検出エリアで焦点検出を行い、その中から最至近の焦点検出結果を示すエリアをカメラが自動選択して焦点調節を行うモードであり、最も手前にある被写体を撮影するのに適している。
【００２１】
図４は有機ＥＬ表示素子１２による焦点検出エリアのファインダー内表示を示す。この図は複数の焦点検出エリアに対応するすべての表示セグメントを点灯した状態を示す。撮影レンズ８を介して形成されるファインダースクリーン１１上の撮影画面５１には、焦点検出エリアの配置範囲を示すマーク５２（ファインダースクリーン上に刻印されているものであって非点灯）の中に６５箇所の焦点検出エリアが展開されており、それぞれの位置には四角形の焦点検出エリア・フレーム５３が配置されている。また、各焦点検出エリア・フレーム５３の中には十字形の至近優先エリアを示す至近優先エリア・フレーム５４が配置されている。これらの焦点検出エリア・フレーム５３と至近優先エリア・フレーム５４は、有機ＥＬ表示素子１２によりそれぞれ別個に点消灯（表示／非表示）が可能であり、焦点検出エリア・フレーム５３を赤色で点灯し、至近優先エリア・フレーム５４を緑色で点灯する。
【００２２】
さらに、ダイナミックＡＦモードにおいて焦点検出を行う“バックアップエリア”の範囲、あるいはグループダイナミックＡＦモードにおいて焦点検出を行う“グループエリア”の範囲を示すダイナミックＡＦエリア・フレーム５５が配置されている。このダイナミックＡＦエリア・フレーム５５は、すべての焦点検出エリア・フレーム５３を囲む複数の辺から構成されており、それぞれの辺は有機ＥＬ表示素子１２によりそれぞれ別個に点消灯（表示／非表示）可能であり、ダイナミックＡＦエリア・フレーム５５を青色で点灯する。
【００２３】
シングルエリアモードでは、撮影者がマルチセレクター４８により選択した焦点検出エリアの焦点検出エリア・フレーム５３のみを点灯する。このシングルエリアモード時の焦点検出エリアのファインダー表示例については図示を省略する。
【００２４】
図５はダイナミックＡＦモード時の焦点検出エリアのファインダー内表示例を示す。ダイナミックＡＦモードでは、撮影者がマルチセレクター４８により選択した優先エリア（この例では画面５１の中央のＡＦフレーム）の焦点検出エリア・フレーム５３と至近優先エリア・フレーム５４を点灯するとともに、予め撮影者がマルチセレクター４８により設定したバックアップエリアの外枠の位置に相当するダイナミックＡＦエリア・フレーム５５を点灯する。
【００２５】
なお、ダイナミックＡＦモード時のバックアップエリアは、例えば優先エリアを中心とする一重エリア範囲、この一重エリア範囲を包含する大きさをもつ二重エリア範囲、あるいは二重エリア範囲を包含する大きさをもつ三重エリア範囲というようにエリアの大きさを撮影者が予め設定しておき、選択された優先エリアの位置と設定されたエリアの大きさに応じてカメラが自動的にバックアップエリアとする焦点検出エリアを選定する。
【００２６】
このダイナミックＡＦモードにおいて、焦点検出エリア・フレーム５３と至近優先エリア・フレーム５４が点灯している優先エリアで今回検出したデフォーカス量が前回までのデフォーカス量と連続性がない場合には、優先エリアから意図する被写体が一時的に外れたと判断し、ダイナミックＡＦエリア・フレーム５５内のバックアップエリアの内、優先エリアに近い順に前回までのデフォーカス量と連続性のあるデフォーカス量を示すエリアを検索し、検索結果のエリアのデフォーカス量に基づいて焦点調節を行う。その後、優先エリアでふたたび連続性のあるデフォーカス量が検出されたら、優先エリアで意図する被写体を再捕捉したと判断して優先エリアのデフォーカス量に基づいて焦点調節を行う。
【００２７】
なお、ダイナミックＡＦモード時に設定されるダイナミックＡＦエリア・フレーム５５は大きいほど多くのバックアップエリアを用意することになり、優先エリアから意図する被写体が外れたときのバックアップを確実に行うことができ、動きの速い動体撮影時には有利である。しかし、その反面、バックアップエリアが多いほど焦点検出演算に時間がかかり、ＡＦの応答性が低下する欠点があるため、適切な大きさのダイナミックＡＦエリア・フレーム５５を設定する必要がある。
【００２８】
図６は、ダイナミックＡＦモード時に撮影者の意図する被写体に撮影レンズ８のピントが合ったときの焦点検出エリアのファインダー内表示例を示す。ダイナミックＡＦモードにおいて、撮影者の意図する被写体に撮影レンズ８のピントが合った後もダイナミックＡＦエリア・フレーム５５を点灯している必要はなく、また、常時点灯しているとファインダー像の視認性が低下して撮影者が煩わしさを感じるため、この一実施の形態では被写体にピントが合ったときにはダイナミックＡＦエリア・フレーム５５を消灯する。なお、ダイナミックＡＦモードでは焦点検出エリア・フレーム５３と至近優先エリア・フレーム５４は合焦の有無にかかわらず常時点灯する。
【００２９】
図７は、ダイナミックＡＦモード時に画面中央以外の位置に優先エリアを設定した場合の焦点検出エリアのファインダー内表示例を示す。ダイナミックＡＦモードにおける優先エリアは、画面中央以外の任意の位置に設定することができる。上述したように、ダイナミックＡＦモード時のバックアップエリアは、選択された優先エリアの位置と設定されたバックアップエリアの大きさに応じてカメラが自動的に選定する。なお、優先エリアが焦点検出エリアの配置範囲マーク５２近くの画面周辺に設定された場合には、予め撮影者が設定した一重エリア範囲、二重エリア範囲、三重エリア範囲というエリアの大きさを十分に満たすことができなくなる。
【００３０】
図８は、グループダイナミックＡＦモード時の焦点検出エリアのファインダー内表示例を示す図である。グループダイナミックＡＦモード時には、撮影者がマルチセレクター４８により選択した“グループエリア”の大きさを示すダイナミックＡＦエリア・フレーム５５と、グループエリアの中心位置の焦点検出エリアの焦点検出エリア・フレーム５３を点灯する。
【００３１】
グループダイナミックＡＦモードでは、上述のダイナミックＡＦモードと同様に、撮影者が予め選択したグループエリアの内のいずれかの焦点検出エリアで意図する被写体を捕捉し、撮影レンズ８のピントが合った後もダイナミックＡＦエリア・フレーム５５を点灯している必要はなく、また、常時表示しているとファインダー像の視認性が低下して撮影者が煩わしさを感じるため、この一実施の形態では被写体にピントが合ったときにはダイナミックＡＦエリア・フレーム５５を消灯する。意図する被写体をグループエリアから外した場合、つまり、グループ内の焦点検出エリアで検出されるデフォーカス量の連続性がないと判断した場合には、ふたたびダイナミックＡＦエリア・フレーム５５を点灯し、グループエリアに意図する被写体を捕捉し易くする。なお、グループダイナミックＡＦモードでも焦点検出エリア・フレーム５３は合焦の有無にかかわらず常時点灯する。
【００３２】
図９は、至近優先ダイナミックＡＦモード時の焦点検出エリアのファインダー内表示例を示す図である。至近優先ダイナミックＡＦモード時には、撮影者が予め設定したダイナミックＡＦエリア内の焦点検出エリアの内、最至近のデフォーカス量に基づいて焦点調節を行う。このとき、ダイナミックＡＦエリアの範囲を示すダイナミックＡＦエリア・フレーム５５を点灯するとともに、最至近のデフォーカス量が検出された至近優先エリア・フレーム５４を点灯する。
【００３３】
至近優先ダイナミックＡＦモード時にも、撮影者が予め設定したダイナミックＡＦエリア内のいずれかで撮影レンズ８のピントが合ったときはダイナミックＡＦエリア・フレーム５５を消灯する。なお、至近優先エリア・フレーム５４は合焦の有無にかかわらず常時点灯する。
【００３４】
図１０、図１１はＡＦエリアモードにおける撮影動作を示すフローチャートである。このフローチャートにより、一実施の形態の動作を説明する。ステップ１において操作部材２０のレリーズ半押しスイッチによりシャッターボタンの半押し操作を確認し、シャッターボタンの半押し操作があるとステップ２へ進む。ステップ２では撮影者が選択した焦点検出エリアを読み込み、続くステップ３では撮影者が設定したＡＦエリアモードを読み込む。
【００３５】
ステップ４において撮影者が設定したＡＦエリアモードがダイナミックＡＦモードか否かを判別し、ダイナミックＡＦモードが設定されているときはステップ５へ進む。ダイナミックＡＦモード設定時は、図５に示すように、ステップ５で撮影者が選択した焦点検出エリアを優先エリアとし、表示回路３８により有機ＥＬ表示素子１２を駆動して優先エリアに対応する焦点検出エリア・フレーム５３と至近優先エリア・フレーム５４を点灯するとともに、続くステップ１０で優先エリアを中心とする撮影者が予め設定した大きさのダイナミックＡＦエリア・フレーム５５を点灯する。
【００３６】
このように、撮影レンズ８の撮影画面５１内に設定された複数の焦点検出エリアの内の、撮影レンズ８の焦点調節に用いる焦点検出エリアの範囲を示すダイナミックＡＦエリア・フレーム５５をファインダー像に重畳して表示するようにしたので、焦点調節に用いるすべての焦点検出エリアの焦点検出エリア・フレーム５３を表示するのに比べ、被写体像が見やすくなるとともに、焦点調節に有効な焦点検出エリアの範囲を容易に認識できる。
【００３７】
また、ダイナミックＡＦモードが設定されているときは、採用エリアの位置を示す焦点検出エリア・フレーム５３および至近優先エリア・フレーム５４と、ダイナミックＡＦエリア・フレーム５５とをファインダー像に重畳して表示するようにしたので、焦点調節に用いるすべての焦点検出エリアの焦点検出エリア・フレーム５３を表示するのに比べ、被写体像が見やすくなるとともに、撮影者が選択した採用エリアと焦点調節に有効な焦点検出エリアの範囲とを容易に認識できる。
【００３８】
ステップ４でダイナミックＡＦモードが設定されていないときはステップ６へ進み、グループダイナミックＡＦモードが設定されているか否かを判別する。グループダイナミックＡＦモード設定時はステップ７へ進み、図８に示すように、表示回路３８により有機ＥＬ表示素子１２を駆動して撮影者が予め選択したグループエリアの中心位置の焦点検出エリア・フレーム５３を点灯するとともに、続くステップ１０で撮影者が選択したグループエリアの範囲を示すダイナミックＡＦエリア・フレーム５５を点灯する。
【００３９】
このように、グループダイナミックＡＦモードが設定されているときは、ダイナミックＡＦエリア・フレーム５５の中心位置に対応する焦点検出エリアの位置を示す焦点検出エリア・フレーム５３と、ダイナミックＡＦエリア・フレーム５５とをファインダー像に重畳して表示するようにしたので、グループエリア内のすべての焦点検出エリアの焦点検出エリア・フレーム５３を表示するのに比べ、被写体像が見やすくなるとともに、選択したグループエリアに属する焦点検出エリアの範囲を明確に認識できる。
【００４０】
ステップ６でグループダイナミックＡＦモードが設定されていないときはステップ８へ進み、至近優先ダイナミックＡＦモードが設定されているか否かを判別する。至近優先ダイナミックＡＦモード設定時はステップ９へ進み、図９に示すように、表示回路３８により有機ＥＬ表示素子１２を駆動して最至近エリアの至近優先エリア・フレーム５４を点灯するとともに、続くステップ１０で撮影者が予め設定したダイナミックＡＦエリアを示すダイナミックＡＦエリア・フレーム５５を点灯する。
【００４１】
このように、至近優先ダイナミックＡＦモードが設定されているときは、最至近の焦点検出結果を示す焦点検出エリアの位置を示す至近優先エリア・フレーム５４と、ダイナミックＡＦエリア・フレーム５５とをファインダー像に重畳して表示するようにしたので、予め設定したダイナミックＡＦエリア内のすべての焦点検出エリアの焦点検出エリア・フレーム５３を表示するのに比べ、被写体像が見やすくなるとともに、焦点調節を行う最至近の焦点検出エリアを容易に認識できる。
【００４２】
ステップ８で至近優先ダイナミックＡＦモードが設定されていないときはステップ１１へ進み、シングルエリアモードが設定されているとし、表示回路３８により有機ＥＬ表示素子１２を駆動して撮影者が選択した焦点検出エリアの焦点検出エリア・フレーム５３を点灯する。
【００４３】
焦点検出エリアのファインダー表示を終了した後、図１１のステップ２１へ進み、設定されたＡＦエリアモードに応じた焦点検出エリアで焦点検出を行い、検出結果のデフォーカス量に基づいてフォーカシングレンズ８ｂを駆動して焦点調節を行う。続くステップ２２で撮影レンズ８が合焦しているか否かを判別し、合焦していないときはステップ２１へ戻ってふたたび焦点調節を実行する。一方、合焦しているときはステップ２３へ進み、表示回路３８により有機ＥＬ表示素子１２を駆動してダイナミックＡＦエリア・フレーム５５を消灯する。
【００４４】
このように、ダイナミックＡＦエリア・フレーム５５内のいずれかの焦点検出エリアで撮影レンズ８が合焦したときは、ファインダー像に重畳表示しているダイナミックＡＦエリア・フレーム５５を消去するようにしたので、主要被写体を捕捉するときだけ焦点調節に用いる焦点検出エリアの範囲を認識でき、それ以外のときはファインダー像をより視認し易くなる。
【００４５】
ステップ２４において操作部材２０のレリーズ全押しスイッチによりシャッターレリーズがなされたか否かを判別し、シャッターレリーズがなされたらステップ２５へ進む。ステップ２５ではクイックリターンミラー５とサブミラー６のミラーアップを行うとともに、絞り２１を制御絞り値まで絞り込む。ステップ２６でシャッター７を開放して撮像素子４により撮像を行い、撮像後のステップ２７でミラーダウンとシャッターチャージを行う。ステップ２８では撮像画像を処理した後、記録媒体２５に画像を記録するとともに、モニター２４に表示する。一方、ステップ２４で否定判断されると、ステップ２５において半押しされているか否かを判断する。半押しされていればステップ３０へ進み、半押し解除されていれば本フローを終了する。ステップ３０では、ステップ２２での合焦判定から所定時間が経過したか否かを判断する。所定時間が経過していればステップ３１へ進んで再度合焦判定を行う。所定時間が経過していなければステップ４へ戻り上記処理を繰り返す。上記ステップ３１において合焦していないことが検出されるとステップ２４へ戻って上記処理を繰り返し、合焦していることが検出されるとステップ２４へ戻り上記処理を繰り返す。
【００４６】
なお、上述した一実施の形態では、ファインダー内の表示装置を例に上げて説明したが、撮像した被写体像に焦点検出エリア・フレームを重畳表示するすべての表示装置に本願発明を適用でき、上述したような効果が得られる。例えば、モニター２４に撮像結果のスルー画像を表示し、それに焦点検出エリア・フレームを重畳表示する場合にも本願発明を適用できる。
【００４７】
また、上述した一実施の形態では一眼レフデジタルスチルカメラを例に上げて説明したが、一眼レフデジタルスチルカメラ以外の例えば一眼レフフィルムカメラのファインダー内表示装置や、コンパクトデジタルカメラのモニターなどにも本願発明を適用することができ、上述したような効果が得られる。
【００４８】
さらに、上述した一実施の形態では焦点検出エリア・フレーム５３、至近優先エリア・フレーム５４およびダイナミックＡＦエリア・フレーム５５を、互いに異なる色で表示する例を示したが、これらのフレームの表示形態は色を変える以外に、例えば実線と破線などの形を変えるようにしてもよい。
【図面の簡単な説明】
【００４９】
【図１】一実施の形態の構成を示す図
【図２】一実施の形態のボディ駆動制御装置およびレンズ駆動制御装置の構成を示す図
【図３】一実施の形態のカメラの背面図
【図４】焦点検出エリアのファインダー表示を示す図
【図５】ダイナミックＡＦモード時の焦点検出エリアのファインダー表示を示す図
【図６】ダイナミックＡＦモード時に撮影者の意図する被写体に撮影レンズのピントが合ったときの焦点検出エリアのファインダー表示例を示す図
【図７】ダイナミックＡＦモード時に画面中央以外の位置に優先エリアを設定した場合の焦点検出エリアのファインダー表示例を示す図
【図８】グループダイナミックＡＦモード時の焦点検出エリアのファインダー表示例を示す図
【図９】至近優先ダイナミックＡＦモード時の焦点検出エリアのファインダー表示例を示す図
【図１０】一実施の形態の撮影動作を示すフローチャート
【図１１】図１０に続く、一実施の形態の撮影動作を示すフローチャート
【符号の説明】
【００５０】
８  撮影レンズ
１１  ファインダースクリーン
１２  有機ＥＬ表示素子
１９  ボディ駆動制御装置
２０  操作部材
３８  表示回路
５１  撮影画面
５３  焦点検出エリア・フレーム
５４  至近優先エリア・フレーム
５５  ダイナミックＡＦエリア・フレーム
【図１】
2009044382.tif 000003
【図２】
2009044382.tif 000004
【図３】
2009044382.tif 000005
【図４】
2009044382.tif 000006
【図５】
2009044382.tif 000007
【図６】
2009044382.tif 000008
【図７】
2009044382.tif 000009
【図８】
2009044382.tif 000010
【図９】
2009044382.tif 000011
【図１０】
2009044382.tif 000012
【図１１】
2009044382.tif 000013